(57)【要約】【課題】アームレストが組み付けられた支持台の側面からテーブル本体を上昇させて物載せとして使用する乗物用シートのテーブル装置において、アームレストを幅方向に広く形成しても、テーブル本体を格納しているときの嵩張りを抑えること。【解決手段】テーブル装置４は、アームレスト３０が組み付けられた支持台４０と、支持台４０の外側の側面４０ａに沿って第１のスライド機構５０を介して昇降可能となっており、物載せ可能な載置面８２を有するテーブル本体８０とから構成されている。アームレスト３０には、内側に向けて略水平に移動可能な可動部３４が備えられている。そして、テーブル本体８０を格納状態から立起状態に切り替えると、この切り替えに伴って上昇するテーブル本体８０が押し当てられることで可動部３４を内側に向けて略水平に移動させる。【選択図】図１０
2018199381.tif 000002
【特許請求の範囲】
【請求項１】
アームレストが組み付けられた支持台と、
前記支持台の外側の側面に沿って第１のスライド機構を介して昇降可能となっており、物載せ可能な載置面を有するテーブル本体と、から構成されている乗物用シートのテーブル装置であって、
前記アームレストには、内側に向けて略水平に移動可能な可動部が備えられており、
前記第１のスライド機構は、前記支持台の外側の側面を上下方向に沿って固着された第１のスライドレールと、前記第１のスライドレールに対してスライド可能な第１のスライダと、から構成されており、
前記スライダに対して横倒れ可能に前記テーブル本体がヒンジ結合されており、
前記支持台の外側の側面に前記テーブル本体を格納した格納状態と、
前記格納状態にある前記テーブル本体を前記支持台の外側の側面から上昇させた立起状態と、
前記立起状態にある前記テーブル本体を前記スライダに対して前記ヒンジ結合のヒンジの軸回りに横倒れさせた使用可能状態と、に切り替え可能となっており、
前記テーブル本体を前記格納状態から前記立起状態に切り替えると、この切り替えに伴って上昇する前記テーブル本体が押し当てられることで前記可動部を内側に向けて略水平に移動させる乗物用シートのテーブル装置。
【請求項２】
請求項１に記載の乗物用シートのテーブル装置であって、
前記可動部には、前記立起状態から前記使用可能状態に切り替えた前記テーブル本体を支持可能な支持部が設けられている乗物用シートのテーブル装置。
【請求項３】
請求項１〜２のいずれかに記載の乗物用シートのテーブル装置であって、
前記可動部の内側へ向けての略水平の移動は、第２のスライド機構を介して行われる乗物用シートのテーブル装置。
【請求項４】
請求項３に記載の乗物用シートのテーブル装置であって、
前記第２のスライド移動は、第２のスライドレールと、前記第２のスライドレールに対して移動可能な第２のスライダと、から構成されており、
前記第２のスライドレールと前記第２のスライダとは、前記使用可能状態にある前記テーブル本体の下方位置に設けられている乗物用シートのテーブル装置。
【請求項５】
請求項４に記載の乗物用シートのテーブル装置であって、
前記使用可能状態にある前記テーブル本体の前記載置面が前傾姿勢となる前傾状態に切り替え可能となっている乗物用シートのテーブル装置。
【請求項６】
請求項５に記載の乗物用シートのテーブル装置であって、
前記テーブル本体を前記使用可能状態から前記前傾状態に切り替えると、前記他方側に向かって移動した前記可動部が移動前の状態に戻されており、
前記テーブル本体を前記前傾状態から前記使用可能状態に戻すと、この戻された前記テーブル本体が、再度、前記可動部を内側に向かって移動させる乗物用シートのテーブル装置。
【請求項７】
請求項６に記載の乗物用シートのテーブル装置であって、
前記第２のスライド機構のスライド方向は、幅方向に対して傾きを生じている乗物用シートのテーブル装置。
【発明の詳細な説明】
【技術分野】
【０００１】
本発明は、乗物用シートのテーブル装置に関し、詳しくは、アームレストが組み付けられた支持台の側面からテーブル本体を上昇させて物載せとして使用する乗物用シートのテーブル装置に関する。
【背景技術】
【０００２】
従来、この種の乗物用シートのテーブル装置として、例えば、下記の技術が既に知られている。この技術では、乗物用シートの外側には、アームレストが組み付けられた支持台が設けられている。一方、この乗物用シートの内側には、テーブル装置が設けられている。このテーブル装置は、アームレストが組み付けられた支持台と、支持台の外側の側面に沿って昇降可能となっており物載せ可能な載置面を有するテーブル本体とから構成されている。そして、このテーブル装置は、支持台の外側の側面にテーブル本体を格納した格納状態と、格納状態にあるテーブル本体を支持台の外側の側面から上昇させた立起状態と、立起状態にあるテーブル本体を横倒れさせた使用可能状態と、に切り替え可能となっている。これにより、テーブル本体を使用しないとき、このテーブル本体が乗物用シートの着座者にとって邪魔になることなく見栄えよく格納できる。なお、この乗物用シートのテーブル装置として、例えば、特許文献１に開示されている技術も既に知られている。
【先行技術文献】
【特許文献】
【０００３】
【特許文献１】特開２０１６−１３２２８８号公報
【発明の概要】
【発明が解決しようとする課題】
【０００４】
しかしながら、上述した技術のような乗物用シートのテーブル装置では、テーブル本体を昇降させる（格納状態から立起状態へテーブル本体を上昇させる、または、立起状態から格納状態へテーブル本体を下降させる）メカ機構（例えば、スライド機構）が支持台の外側の側面から張り出すように設けられている。そのため、着座者の肘掛スペースや前腕載せスペースを広く確保する観点からアームレストを幅方向に広く形成すると、テーブル本体が格納状態にあるときのテーブル装置に嵩張りが生じてしまう、という問題が発生していた。もちろん、この問題を解決するために、支持台の外側の側面にメカ機構の張出長（幅長）に相当する深さの凹みを設け、この凹みにメカ機構を配置することが考案された。しかしながら、この考案では、格納状態から立起状態へ上昇させたテーブル本体がアームレストに干渉してしまうことがあった。したがって、このテーブル本体の上昇が途中で規制されてしまうため、結果として、このテーブル本体を立起状態に切り替えることができなかった。
【０００５】
本発明は、このような課題を解決しようとするもので、その目的は、アームレストが組み付けられた支持台の側面からテーブル本体を上昇させて物載せとして使用する乗物用シートのテーブル装置において、アームレストを幅方向に広く形成しても、テーブル本体を格納しているときの嵩張りを抑えることである。
【課題を解決するための手段】
【０００６】
本発明は、上記の目的を達成するためのものであって、以下のように構成されている。
請求項１に記載の発明は、アームレストが組み付けられた支持台と、支持台の外側の側面に沿って第１のスライド機構を介して昇降可能となっており、物載せ可能な載置面を有するテーブル本体とから構成されている乗物用シートのテーブル装置である。
アームレストには、内側に向けて略水平に移動可能な可動部が備えられている。第１のスライド機構は、支持台の外側の側面を上下方向に沿って固着された第１のスライドレールと、第１のスライドレールに対してスライド可能な第１のスライダとから構成されている。スライダに対して横倒れ可能にテーブル本体がヒンジ結合されている。このテーブル装置は、支持台の外側の側面にテーブル本体を格納した格納状態と、格納状態にあるテーブル本体を支持台の外側の側面から上昇させた立起状態と、立起状態にあるテーブル本体をスライダに対してヒンジ結合のヒンジの軸回りに横倒れさせた使用可能状態とに切り替え可能となっている。テーブル本体を格納状態から立起状態に切り替えると、この切り替えに伴って上昇するテーブル本体が押し当てられることで可動部を内側に向けて略水平に移動させる。
【０００７】
請求項１の発明によれば、着座者の肘掛スペースや前腕載せスペースを広く確保する観点からアームレスト（可動部）を幅方向に広く形成しても、テーブル本体の上昇が途中で規制されることがない。また、このテーブル本体を上昇させる第１のスライド機構の張出長（幅長）に相当する深さの凹みを支持台の側面に形成できるため、このテーブル本体を格納しているときのテーブル装置の嵩張りを凹みによって抑えることができる。したがって、このアームレスト（可動部）を幅方向に広く形成しても、このテーブル本体を格納しているときのテーブル装置の嵩張りを凹みによって抑えることができる。
【０００８】
また、請求項２に記載の発明は、請求項１に記載の乗物用シートのテーブル装置であって、可動部には、立起状態から使用可能状態に切り替えたテーブル本体を支持可能な支持部が設けられている。
【０００９】
請求項２の発明によれば、テーブル本体が使用可能状態のとき、可動部は移動した状態となっているため、このテーブル本体の回転軸となるヒンジピンと支持部との距離を長く確保できる。したがって、この使用可能状態にあるテーブル本体の安定感を高めることができる。
【００１０】
また、請求項３に記載の発明は、請求項１〜２のいずれかに記載の乗物用シートのテーブル装置であって、可動部の内側へ向けての略水平の移動は、第２のスライド機構を介して行われる。
【００１１】
請求項３の発明によれば、簡便な構造で可動部の移動を実施できる。
【００１２】
また、請求項４に記載の発明は、請求項３に記載の乗物用シートのテーブル装置であって、第２のスライド移動は、第２のスライドレールと、第２のスライドレールに対して移動可能な第２のスライダとから構成されている。第２のスライドレールと第２のスライダとは、使用可能状態にあるテーブル本体の下方位置に設けられている。
【００１３】
請求項４の発明によれば、テーブル本体からの荷重を第２のスライドレールと第２のスライダとがしっかりと受けることができる。したがって、テーブル本体に撓み等が生じることを防止できる。
【００１４】
また、請求項５に記載の発明は、請求項４に記載の乗物用シートのテーブル装置であって、使用可能状態にあるテーブル本体の載置面が前傾姿勢となる前傾状態に切り替え可能となっている。
【００１５】
請求項５の発明によれば、前傾状態に切り替えたテーブル本体に内蔵させたヒータ等を動作させて着座者の膝近辺を集中して温めることができる。
【００１６】
また、請求項６に記載の発明は、請求項５に記載の乗物用シートのテーブル装置であって、テーブル本体を使用可能状態から前傾状態に切り替えると、他方側に向かって移動した可動部が移動前の状態に戻される。テーブル本体を前傾状態から使用可能状態に戻すと、この戻されたテーブル本体が、再度、可動部を内側に向かって移動させる。
【００１７】
請求項６の発明によれば、テーブル本体が前傾状態であっても、着座者が肘置きとして可動部を使用できる。したがって、可動部の使用性を損ねることなく、テーブル本体を前傾状態に切り替えることができる。
【００１８】
また、請求項７に記載の発明は、請求項６に記載の乗物用シートのテーブル装置であって、第２のスライド機構のスライド方向は、幅方向に対して傾きを生じている。
【００１９】
請求項７の発明によれば、そのため、テーブル本体を前傾状態から使用可能状態への戻しによって、再度、可動部をスライドさせるとき、このスライドをスムーズに行うことができる。
【図面の簡単な説明】
【００２０】
【図１】実施例に係るセカンドシートの斜視図であり、テーブル本体が格納状態にあるときを示している。
【図２】図１の右側の支持台の拡大図である。
【図３】図２の後側を下から見た斜視図である。
【図４】図２において、テーブル本体を想像線で示した状態である。
【図５】図２の正面図である。
【図６】図４の主要部の拡大図である。
【図７】図６の分解図である。
【図８】図６の平面図であり、可動トレイの一部を透視した状態である。
【図９】図２に示す格納状態から、テーブル本体を立起状態に切り替えた状態を示している。
【図１０】図９の正面図である。
【図１１】図９に示す立起状態から、テーブル本体を使用可能状態に切り替えた状態を示している。
【図１２】図１１の正面図である。
【図１３】図１１に示す使用可能状態から、テーブル本体を前傾状態に切り替えた状態を示している。
【発明を実施するための形態】
【００２１】
以下、本発明を実施するための形態を、図１〜１３を用いて説明する。なお、以下の説明にあたって、『乗物用シート』の例として、『３列シートを有するミニバン（図示しない）の左側のセカンドシート１（以下、単に、「セカンドシート１」と記す）』を説明することとする。また、以下の説明にあたって、上、下、前、後、左、右とは、上述した図に記載した、上、下、前、後、左、右の方向、すなわち、ミニバンの内部にセカンドシート１を配置した状態を基準にしたときの上、下、前、後、左、右の方向を示している。
【００２２】
まず、図１〜５を参照して、セカンドシート１の構成を説明する。このセカンドシート１は、１人掛けの独立タイプのものであり、主として、オットマン２ａを有するシートクッション２と、ヘッドレスト３ａを有するシートバック３とから構成されている。このシートクッション２の左側には、アームレスト１０が組み付けられた支持台２０が設けられている（図１〜２参照）。
【００２３】
このアームレスト１０は、主として、肘掛クッション１２と、前腕載せクッション１６と小物置きを成す凹み１８とを有するトレイ１４とから構成されている。これら肘掛クッション１２とトレイ１４とは、支持台２０の上面（図示しない）に固着されている。なお、このアームレスト１０は、肘掛スペースや前腕載せスペースを広く確保する観点から、幅方向に広く設定されている。すなわち、このアームレスト１０の肘掛クッション１２やトレイ１４は、前腕載せクッション１６と共に幅方向に広く形成されている。
【００２４】
一方、このシートクッション２の右側には、テーブル装置４が組み付けられている。ここで、このテーブル装置４について詳述する（図３〜８参照）。このテーブル装置４は、アームレスト３０が組み付けられた支持台４０と、この支持台４０の右側（外側）の側面４０ａに沿う格好を成す第１のスライド機構５０を介して昇降可能となっており、物載せ可能な載置面８２を有しておりヒータ（図示しない）が内蔵されたテーブル本体８０とから構成されている（図３〜５参照）。
【００２５】
この右側（外側）の側面４０ａは、後述するサイドベース４４と第１のスライド機構５０との張出長（幅長）に相当する深さの凹み４０ｂを有するように形成されている。そのため、後述するように、アームレスト３０を幅方向に広く設定しても、テーブル本体８０が格納状態にあるときのテーブル装置４の嵩張りを抑えることができる。このアームレスト３０も、主として、肘掛クッション３２と、前腕載せクッション３６と小物置きを成す凹み３８とを有する可動トレイ３４とから構成されている。
【００２６】
この肘掛クッション３２は、支持台４０の後側の上面（図示しない）に固着されている。この「可動トレイ３４」の記載が、特許請求の範囲に記載の「可動部」に相当する。なお、このアームレスト３０は、上述した左のアームレスト１０と同様に、肘掛スペースや前腕載せスペースを広く確保する観点から、幅方向に広く設定されている。すなわち、このアームレスト３０の肘掛クッション３２や可動トレイ３４は、前腕載せクッション３６と共に幅方向に広く形成されている。
【００２７】
この可動トレイ３４の右側（外側）の縁には、下方に向かって張出片３４ａが形成されている（図６参照）。この張出片３４ａの下縁３４ｂは、後述するブラケット８４のヒンジ部８４ａの上縁８４ｂから押し当てられるように形成されている（図５参照）。なお、この図５からも明らかなように、このブラケット８４のヒンジ部８４ａの上縁８４ｂは、テーブル本体８０が格納状態にあるときのテーブル装置４の正面視において、左側（内側）に向かって下り傾斜となるように形成されている。
【００２８】
また、この張出片３４ａの前側には、左側（内側）に向けて湾曲したテーパ部３４ｃが形成されている。なお、この可動トレイ３４は、その張出片３４ａと共に、剛性を有する合成樹脂からなる樹脂部材から一体を成すように構成されている。また、この可動トレイ３４は、支持台４０の前側の上面に形成されている天板４６に第２のスライド機構６０を介して略左右方向Ｃ１に沿ってスライド可能に組み付けられている（図７〜８参照）。
【００２９】
この第２のスライド機構６０は、支持台４０の天板４６の略左右方向Ｃ１に沿って固着された第２のスライドレール６２と、この第２のスライドレール６２にスライド可能な第２のスライダ６４とから構成されている。この第２のスライドレール６２は、２本のピン６２ａを介して支持台４０の天板４６の表面（外面）に固着されている。また、この第２のスライダ６４は、５本のピン６４ａを介してアームレスト３０の可動トレイ３４の裏面（内面）に固着されている。
【００３０】
このように固着されていると、これら第２のスライドレール６２と第２のスライダ６４とは、後述する使用可能状態におけるテーブル本体８０の下方位置に設けられることとなる。なお、この図７〜８から明らかなように、この第２のスライド機構６０は、前後方向における前側（前寄り位置）と、後側（後ろ寄り位置）と、前側と後側との略中央側とに３個所設けられている。このように３個所設けられているため、支持台４０の天板４６に対して可動トレイ３４を滑らかにスライドさせることができる。
【００３１】
また、この図８から明らかなように、前側の第２のスライドレール６２と後側の第２のスライドレール６２とは、略中央側の第２のスライドレール６２より右寄りに設けられている。すなわち、各第２のスライドレール６２は、平面視において、千鳥配置を成すように設けられている。そのため、可動トレイ３４から支持台４０の天板４６に掛かる荷重を左右に分散できる。したがって、支持台４０の天板４６に対する可動トレイ３４のスライドをより滑らかに実施できる。
【００３２】
また、この図８から明らかなように、この３個所の第２のスライド機構６０のスライド方向である略左右方向Ｃ１は、左右方向（幅方向）Ｗに対して僅かに傾いた状態となっている。図８におけるθが、この傾いた状態を示している。この傾きθは、例えば、５〜１５°の範囲内である。そのため、後述するように、前傾状態から使用可能状態にテーブル本体８０を戻すとき、この戻しに伴う可動トレイ３４のスライドを滑らかに実施できる。また、この図７から明らかなように、この可動トレイ３４の掛け留めピン７０ａと支持台４０の天板４６の掛け留めピン７０ｂとの間には、引っ張りばね７０が掛け留めされている。
【００３３】
そのため、後述するように、格納状態から張出状態にスライドさせた可動トレイ３４の戻しを引っ張りばね７０の復元力によって実施できる。なお、この引っ張りばね７０は、この図７から明らかなように、前後方向における前側（前寄り位置）と、後側（後ろ寄り位置）と、前側と後側との略中央側とに３個所設けられている。このように３個所設けられているため、可動トレイ３４に対する引っ張りばね７０の復元力を前後方向において均等に作用させることができる。
【００３４】
また、この図７から明らかなように、この可動トレイ３４と支持台４０の天板４６との間には、ロック機構７２が設けられている。このロック機構７２は、支持台４０の天板４６に対して２本のピン７２ａを介して固着されるロック固定部７４と、可動トレイ３４に対して２本のピン７２ｂを介して固着されるロック可動部７６とから構成されている。このロック固定部７４には、三角形状の凹溝７４ａが形成されている。また、このロック可動部７６には、撓み片７６ａを介して三角形状の突起７６ｂが形成されている。このロック可動部７６の突起７６ｂは、ロック固定部７４の凹溝７４ａに嵌り込み可能となっている。
【００３５】
なお、後述するように、可動トレイ３４の格納状態では、このロック可動部７６の突起７６ｂがロック固定部７４の凹溝７４ａに嵌り込んだ状態となっている。そのため、この可動トレイ３４の格納状態において、支持台４０の天板４６に対して可動トレイ３４をロックできる。したがって、格納状態にある可動トレイ３４にガタツキが生じることを防止できる。また、このロック解除は、ロック可動部７６の撓み片７６ａの撓み動作によって実施されている。
【００３６】
また、支持台４０の天板４６に対するロック固定部７４の固着は、２本のピン７２ａをロック固定部７４の２個の長孔７４ｂに貫通させて行われている。この図８から明らかなように、この長孔７４ｂの長手方向は、第２のスライド機構６０のスライド方向（略左右方向Ｃ１）に対して交差するように設定されている。そのため、この支持台４０の天板４６に対して２本のピン７２ａを介してロック固定部７４を固着するとき、このロック固定部７４とロック可動部７６との距離を近づけると、ロック固定部７４の凹溝７４ａにロック可動部７６の突起７６ｂを深く嵌り込ませることができる。したがって、このロック機構７２のロックの強度を強めることができる。
【００３７】
これとは逆に、このロック固定部７４を固着するとき、このロック固定部７４とロック可動部７６との距離を遠ざけると、ロック固定部７４の凹溝７４ａにロック可動部７６の突起７６ｂを浅く嵌り込ませることができる。したがって、このロック機構７２のロックの強度を弱めることができる。このように支持台４０の天板４６に対するロック固定部７４の固着位置を長孔７４ｂによって調節することで、ロック機構７２のロックの強度を調節できる。
【００３８】
一方、第１のスライド機構５０は、支持台４０の右側（外側）の側面４０ａに回転軸４２を介して枢着されたサイドベース４４の上下方向に沿って設けられた第１のスライドレール５２と、この第１のスライドレール５２にスライド可能な第１のスライダ５４とから構成されている。この第１のスライダ５４の表面はカバー５６で覆われている（固着されている）。
【００３９】
このカバー５６に形成されているヒンジ部５６ａと、テーブル本体８０に固着されたブラケット８４に形成されているヒンジ部８４ａとがヒンジピンＰ１を介して組み付けられている。これにより、この第１のスライダ５４に対してテーブル本体８０がヒンジ結合されていることとなる。このカバー５６の下縁と後縁には、左側（内側）に向けて張り出したフランジ５６ｂが形成されている。このフランジ５６ｂにおける下側と後側との角部には、面取りされたテーパ部５６ｃが形成されている。
【００４０】
なお、このサイドベース４４を枢着している回転軸４２は、第１のモータ（図示しない）によって回転可能となっている。そのため、この回転軸４２と第１のモータとは、複数のギヤやリンク等（いずれも図示しない）を介して機械的に連結されている。また、この第１のスライド機構５０の第１のスライダ５４は、第２のモータ（図示しない）によって昇降可能となっている。そのため、この第１のスライダ５４と第２のモータとは、ギヤやリンク等（いずれも図示しない）を介して機械的に連結されている。テーブル装置４は、このように構成されている。
【００４１】
このように構成されているテーブル装置４のテーブル本体８０は、格納状態（図１〜２に示す状態）と、立起状態（図９に示す状態）と、使用可能状態（図１２に示す状態）と、前傾状態（図１３に示す状態）とに切り替え可能となっている。この格納状態とは、支持台４０の右側（外側）の側面４０ａにテーブル本体８０を格納した状態のことである。このテーブル本体８０を格納状態に切り替えると、このテーブル本体８０を使用しないとき、このテーブル本体８０がセカンドシート１の着座者（図示しない）にとって邪魔になることなく見栄え良く格納できる。
【００４２】
また、この立起状態とは、格納状態にあるテーブル本体８０を支持台４０の右側（外側）の側面４０ａから上昇させた（引き出した）状態のことである。また、この使用可能状態とは、立起状態にあるテーブル本体８０を第１のスライダ５４（カバー５６）に対してヒンジピンＰ１の軸回りに横倒れさせた（水平にした）状態のことである。このテーブル本体８０を使用可能状態に切り替えると、この切り替えたテーブル本体８０の載置面８２に物を載せてテーブルとして使用できる。
【００４３】
また、この前傾状態とは、テーブル本体８０の載置面８２が前傾姿勢（前側に向けて下り傾斜の姿勢）となった状態のことである。このテーブル本体８０を前傾状態に切り替えると、この切り替えたテーブル本体８０に内蔵のヒータを動作させて着座者の膝近辺（図示しない）を集中して温めることができる。なお、このテーブル本体８０の載置面８２の前傾姿勢は、着座者の好みに応じて任意に設定できる。
【００４４】
また、このように構成されているテーブル装置４のアームレスト３０の可動トレイ３４は、格納状態（図１〜２に示す状態）と、張出状態（図９に示す状態）とに切り替え可能となっている。この格納状態とは、可動トレイ３４が肘掛クッション３２と共に支持台４０の長手方向（前後方向）に沿って配置されている状態のことである。また、この張出状態とは、格納状態から立起状態へのテーブル本体８０の切り替えが途中で規制されることがないように、格納状態にある可動トレイ３４を支持台４０の天板４６から左側（内側）に向けてスライドさせた状態のことである。
【００４５】
続いて、このセカンドシート１のテーブル装置４の動作を説明する。この説明にあたって、テーブル本体８０を格納状態から前傾状態に切り替える手順と、この切り替えたテーブル本体８０を前傾状態から格納状態に切り替える（戻す）手順とを個別に説明していく。
【００４６】
まず、テーブル本体８０を格納状態（図１〜２に示す状態）から前傾状態（図１３に示す状態）に切り替える手順から説明する。はじめに、図１〜２、５に示す状態から、第２のモータを駆動（例えば、正転駆動）させる操作を行う。この操作を行うと、この第２のモータの駆動力によって、第１のスライダ５４が上昇していく。これにより、この第１のスライダ５４と共にカバー５６とテーブル本体８０とブラケット８４とが上昇していく。
【００４７】
すると、この上昇しているブラケット８４のヒンジ部８４ａの上縁８４ｂがアームレスト３０の可動トレイ３４の張出片３４ａの下縁３４ｂを押し当て始める。このとき、既に説明したように、この上縁８４ｂは下り傾斜となるように形成されているため、この押し当てに伴って、３本の引っ張りばね７０の付勢力に抗して可動トレイ３４が３個の第２のスライド機構６０を介して左側（内側）に向けて略水平にスライドしていく。
【００４８】
すなわち、この上昇しているブラケット８４が押し当てられることで可動トレイ３４を３本の引っ張りばね７０の付勢力に抗して３個の第２のスライド機構６０を介して左側（内側）に向けて略水平にスライドさせることとなる。このスライドが完了すると、可動トレイ３４が格納状態から張出状態に切り替わることとなる。引き続き、この第１のスライダ５４を上昇させると、ブラケット８４のヒンジ部８４ａの上縁８４ｂが可動トレイ３４の張出片３４ａの下縁３４ｂを乗り越えることとなる。
【００４９】
これにより、カバー５６の縁５６ｄが可動トレイ３４を押し当てることとなる（図９〜１０参照）。そのため、この張出状態に切り替わった可動トレイ３４が３本の引っ張りばね７０の付勢力によって戻されることなく、この張出状態に保持されることとなる。やがて、この第１のスライダ５４の上昇が完了すると、テーブル本体８０が立起状態に切り替わることとなる。このようにして、テーブル本体８０を格納状態から立起状態に切り替えることができる。
【００５０】
次に、図９〜１０に示す状態から、第１のスライダ５４に対してテーブル本体８０をヒンジピンＰ１の軸回りに横倒れさせる操作（水平にする操作）を行う。すると、この横倒れしたテーブル本体８０は、可動トレイ３４の支持部３４ｄによって支持されることとなる（図１１〜１２参照）。この横倒れが完了すると、テーブル本体８０が使用可能状態に切り替わることとなる。
【００５１】
このようにして、テーブル本体８０を立起状態から使用可能状態に切り替えることができる。このとき、ブラケット８４のヒンジ部８４ａが可動トレイ３４を押し当てることとなる。そのため、この張出状態に切り替わった可動トレイ３４が３本の引っ張りばね７０の付勢力によって戻されることなく、引き続き、この張出状態に保持されることとなる。なお、可動トレイ３４が張出状態に保持されているため、この横倒れの回転軸となるヒンジピンＰ１と支持部３４ｄとの距離を長く確保できる。したがって、この使用可能状態にあるテーブル本体８０の安定感を高めることができる。
【００５２】
最後に、図１１〜１２に示す状態から、第１のモータを駆動（例えば、正転駆動）させる操作を行う。すると、この第１のモータの駆動力によって、サイドベース４４が前倒れしていく。これにより、このサイドベース４４と共にテーブル本体８０が前倒れしていく。このサイドベース４４の前倒れが完了すると、テーブル本体８０が前傾状態に切り替わることとなる。このようにして、テーブル本体８０を使用可能状態から前傾状態に切り替えることができる。
【００５３】
なお、このテーブル本体８０の前倒れに伴って、可動トレイ３４に対するカバー５６の縁５６ｄの押し当てが解消されることとなる。そのため、３本の引っ張りばね７０の付勢力（復元力）によって可動トレイ３４が３個の第２のスライド機構６０を介して右側（外側）に向けて略水平にスライドさせる（戻される）こととなる。このスライドが完了すると、可動トレイ３４が張出状態から格納状態に切り替わる（戻される）こととなる。
【００５４】
次に、切り替えたテーブル本体８０を前傾状態（図１３に示す状態）から格納状態（図１〜２に示す状態）に切り替える（戻す）手順を説明する。はじめに、図１３に示す状態から、第１のモータを駆動（例えば、逆転駆動）させる操作を行う。すると、この第２のモータの駆動力によって、サイドベース４４が後起こしされていく。これにより、このサイドベース４４と共にテーブル本体８０が後起こしされていく。このサイドベース４４の後起こしが完了すると、テーブル本体８０が使用可能状態に切り替わる（戻される）こととなる（図１１〜１２参照）。このようにして、テーブル本体８０を前傾状態から使用可能状態に切り替える（戻す）ことができる。
【００５５】
なお、このテーブル本体８０の後起こしに伴って、カバー５６のテーパ部５６ｃが可動トレイ３４の張出片３４ａのテーパ部３４ｃを押し当てることとなる。そのため、３本の引っ張りばね７０の付勢力に抗して可動トレイ３４が３個の第２のスライド機構６０を介して左側（内側）に向けて略水平にスライドしていく。このスライドが完了すると、可動トレイ３４が格納状態から張出状態に切り替わる（戻される）こととなる。
【００５６】
なお、テーブル本体８０が前傾状態から使用可能状態に切り替わる（戻される）と、引き続き、カバー５６の縁５６ｄが可動トレイ３４を押し当てることとなる。そのため、この張出状態に切り替わった可動トレイ３４が３本の引っ張りばね７０の付勢力によって戻されることなく、この張出状態に保持されることとなる。
【００５７】
次に、図１１〜１２に示す状態から、第１のスライダ５４に対してテーブル本体８０をヒンジピンＰ１の軸回りに引き起こす操作（鉛直にする操作）を行う。この引き起こしが完了すると、テーブル本体８０が立起状態に切り替わる（戻される）こととなる（図９〜１０参照）。このようにして、テーブル本体８０を使用可能状態から立起状態に切り替える（戻す）ことができる。
【００５８】
最後に、図９〜１０に示す状態から、第２のモータを駆動（例えば、逆転駆動）させる操作を行う。この操作を行うと、この第２のモータの駆動力によって、第１のスライダ５４が下降していく。これにより、この第１のスライダ５４と共にカバー５６とテーブル本体８０とブラケット８４とが下降していく。すると、このカバー５６の下降に伴って、アームレスト３０の可動トレイ３４に対するカバー５６の縁５６ｄの押し当てが解消されることとなる。
【００５９】
そのため、３本の引っ張りばね７０の付勢力（復元力）によって可動トレイ３４が３個の第２のスライド機構６０を介して右側（外側）に向けて略水平にスライドさせる（戻される）こととなる。このスライドが完了すると、可動トレイ３４が張出状態から格納状態に切り替わる（戻される）こととなる。やがて、この第１のスライダ５４の下降が完了すると、テーブル本体８０が格納状態に切り替わる（戻される）こととなる（図１〜２参照）。このようにして、テーブル本体８０を立起状態から格納状態に切り替える（戻す）ことができる。
【００６０】
本発明の実施例に係るセカンドシート１のテーブル装置４は、上述したように構成されている。この構成によれば、支持台４０の側面４０ａに格納された格納状態から立起状態へテーブル本体８０を上昇させているとき、この上昇途中のテーブル本体８０からの押し当てによってアームレスト３０の可動トレイ３４を左側に向けて略水平に移動（スライド）させることができる。このように移動させることができると、着座者の肘掛スペースや前腕載せスペースを広く確保する観点からアームレスト３０の可動トレイ３４を幅方向に広く形成しても、このテーブル本体８０の上昇が途中で規制されることがない。また、このテーブル本体８０を上昇させる第１のスライド機構５０の張出長（幅長）に相当する深さの凹み４０ｂを支持台４０の側面４０ａに形成できるため、このテーブル本体８０を格納しているときのテーブル装置４の嵩張りを凹み４０ｂによって抑えることができる。したがって、このアームレスト３０の可動トレイ３４を幅方向に広く形成しても、このテーブル本体８０を格納しているときのテーブル装置４の嵩張りを凹み４０ｂによって抑えることができる。
【００６１】
また、この構成によれば、使用可能状態において、テーブル本体８０は可動トレイ３４の支持部３４ｄによって支持されている。このテーブル本体８０が使用可能状態のとき、可動トレイ３４は張出状態となっているため、このテーブル本体８０の回転軸となるヒンジピンＰ１と支持部３４ｄとの距離を長く確保できる。したがって、この使用可能状態にあるテーブル本体８０の安定感を高めることができる。
【００６２】
また、この構成によれば、可動トレイ３４の移動は、第２のスライド機構６０によって実施されている。そのため、簡便な構造で可動トレイ３４の移動を実施できる。
【００６３】
また、この構成によれば、第２のスライド機構６０は、使用可能状態におけるテーブル本体８０の下方位置に設けられている。そのため、テーブル本体８０からの荷重を第２のスライド機構６０がしっかりと受けることができる。したがって、テーブル本体８０に撓み等が生じることを防止できる。
【００６４】
また、この構成によれば、テーブル本体８０を前傾状態に切り替えることができる。そのため、この前傾状態に切り替えたテーブル本体８０に内蔵させたヒータ等を動作させて着座者の膝近辺を集中して温めることができる。
【００６５】
また、この構成によれば、テーブル本体８０を使用可能状態から前傾状態に切り替えると、スライド（移動）した可動トレイ３４がスライド前（移動前）の状態に戻される。そして、テーブル本体８０を前傾状態から使用可能状態に戻すと、この戻されたテーブル本体８０が、再度、可動トレイ３４をスライド（移動）させることとなっている。そのため、テーブル本体８０が前傾状態であっても、着座者が肘置きとして可動トレイ３４を使用できる。したがって、可動トレイ３４の使用性を損ねることなく、テーブル本体８０を前傾状態に切り替えることができる。
【００６６】
また、この構成によれば、第２のスライド機構６０のスライド方向は、左右方向（幅方向）Ｗに対して僅かに傾いた状態となっている。そのため、テーブル本体８０を前傾状態から使用可能状態への戻しによって、再度、可動トレイ３４をスライド（移動）させるとき、このスライド（移動）をスムーズに行うことができる。
【００６７】
上述した内容は、あくまでも本発明の一実施の形態に関するものであって、本発明が上記内容に限定されることを意味するものではない。実施例では、『乗物用シート』の例として、『セカンドシート１』を説明した。しかし、これに限定されるものでなく、『乗物用シート』は、各種の乗物のシート、例えば、『船舶のシート』、『飛行機のシート』、『鉄道車両のシート』等であっても構わない。
【００６８】
また、実施例では、可動トレイ３４の略水平の移動は、スライド機構（第２のスライド機構６０）によって実施される形態を説明した。しかし、これに限定されるものでなく、可動トレイ３４の略水平の移動は、平行リンク、旋回機構等によって実施されても構わない。
【符号の説明】
【００６９】
１      セカンドシート（乗物用シート）
４      テーブル装置
３０    アームレスト
３４    可動トレイ（可動部）
４０    支持台
４０ａ  側面
５０    第１のスライド機構
５２    第１のスライドレール
５４    第１のスライダ
８０    テーブル本体
８２    載置面
【図１】
2018199381.tif 000003
【図２】
2018199381.tif 000004
【図３】
2018199381.tif 000005
【図４】
2018199381.tif 000006
【図５】
2018199381.tif 000007
【図６】
2018199381.tif 000008
【図７】
2018199381.tif 000009
【図８】
2018199381.tif 000010
【図９】
2018199381.tif 000011
【図１０】
2018199381.tif 000012
【図１１】
2018199381.tif 000013
【図１２】
2018199381.tif 000014
【図１３】
2018199381.tif 000015